(57)【要約】【課題】光ファイババンドルを構成する複数本の光ファイバの光軸傾き精度が高い光ファイババンドル端末構造を提供する。【解決手段】光ファイババンドル端末構造Ａは、複数本の光ファイバ１１で構成された光ファイババンドルＢに端末部材２０が取り付けられている。端末部材２０は、光ファイババンドルＢが挿入されたバンドル挿入孔２１１が形成された部材本体２１と、部材本体２１のバンドル挿入孔２１１における光ファイババンドルＢが挿通された部分以外の隙間に挿入された隙間材２２と、隙間材２２を介して光ファイババンドルＢを部材本体２１のバンドル挿入孔２１１の内壁面に押し付ける押付材２３とを備える。【選択図】図３Ｂ
2019078860.tif 000002
【特許請求の範囲】
【請求項１】
複数本の光ファイバで構成された光ファイババンドルに端末部材が取り付けられた光ファイババンドル端末構造であって、
前記端末部材は、前記光ファイババンドルが挿入されたバンドル挿入孔が形成された部材本体と、前記部材本体の前記バンドル挿入孔における前記光ファイババンドルが挿通された部分以外の隙間に挿入された隙間材と、前記隙間材を介して前記光ファイババンドルを前記部材本体の前記バンドル挿入孔の内壁面に押し付ける押付材と、を備えた光ファイババンドル端末構造。
【請求項２】
請求項１に記載された光ファイババンドル端末構造において、
前記光ファイババンドルを構成する前記複数本の光ファイバのいずれもが複数本の隣接する光ファイバに接触している光ファイババンドル端末構造。
【請求項３】
請求項１又は２に記載された光ファイババンドル端末構造において、
前記光ファイババンドルを構成する前記複数本の光ファイバが俵積み状に充填されている光ファイババンドル端末構造。
【発明の詳細な説明】
【技術分野】
【０００１】
本発明は、光ファイババンドル端末構造に関する。
【背景技術】
【０００２】
光デバイスには、複数本の光ファイバが光ファイババンドルを構成し、そのバンドル端面において光ファイバが所定の配列パターンを形成する構造を有するものがある。例えば、特許文献１には、表面に形成した複数のＶ溝に光ファイバを並べて支持したＶ溝基板を積層することにより、光ファイババンドルを構成する複数本の光ファイバが、バンドル端面においてマトリクス状の配列パターンを形成した光ファイババンドル端末構造が開示されている。また、特許文献２には、並行に延びるように設けられた複数本の光ファイバを一対の部材で挟持することにより、光ファイババンドルを構成する複数本の光ファイバが、バンドル端面において列状の配列パターンを形成した光ファイババンドル端末構造が開示されている。
【先行技術文献】
【特許文献】
【０００３】
【特許文献１】特開２００１−３３０７５９号公報
【特許文献２】特開２０１７−１１１３１８号公報
【発明の概要】
【発明が解決しようとする課題】
【０００４】
本発明の課題は、光ファイババンドルを構成する複数本の光ファイバの光軸傾き精度が高い光ファイババンドル端末構造を提供することである。
【課題を解決するための手段】
【０００５】
本発明は、複数本の光ファイバで構成された光ファイババンドルに端末部材が取り付けられた光ファイババンドル端末構造であって、前記端末部材は、前記光ファイババンドルが挿入されたバンドル挿入孔が形成された部材本体と、前記部材本体の前記バンドル挿入孔における前記光ファイババンドルが挿通された部分以外の隙間に挿入された隙間材と、前記隙間材を介して前記光ファイババンドルを前記部材本体の前記バンドル挿入孔の内壁面に押し付ける押付材とを備える。
【発明の効果】
【０００６】
本発明によれば、光ファイババンドルが、押付材により隙間材を介して部材本体のバンドル挿入孔の壁面に押し付けられ、光ファイバの形状の均一性から、光ファイババンドルを構成する複数本の光ファイバが、バンドル端面において所定の配列パターンを形成するように配設され、これにより複数本の光ファイバ１１の出射光又は入射光の高い光軸傾き精度を得ることができる。
【図面の簡単な説明】
【０００７】
【図１】実施形態１に係る光ファイババンドル端末構造を含む光ファイバケーブルの平面図である。
【図２】光ファイバ心線の斜視図である。
【図３Ａ】実施形態１に係る光ファイババンドル端末構造の斜視図である。
【図３Ｂ】図３ＡにおけるIIIB-IIIB断面図である。
【図４Ａ】実施形態１に係る光ファイババンドル端末構造の第１変形例の端面の正面図である。
【図４Ｂ】実施形態１に係る光ファイババンドル端末構造の第２変形例の端面の正面図である。
【図４Ｃ】実施形態１に係る光ファイババンドル端末構造の第３変形例の端面の正面図である。
【図４Ｄ】実施形態１に係る光ファイババンドル端末構造の第４変形例の端面の正面図である。
【図５】実施形態２に係る光ファイババンドル端末構造の端面の正面図である。
【図６】実施形態３に係る光ファイババンドル端末構造の端面の正面図である。
【図７】実施形態４に係る光ファイババンドル端末構造の端面の正面図である。
【図８】実施形態５に係る光ファイババンドル端末構造の端面の正面図である。
【発明を実施するための形態】
【０００８】
以下、実施形態について図面に基づいて詳細に説明する。なお、以下の説明では、便宜上、図面における上下左右の方向を用いる。
【０００９】
（実施形態１）
図１は、実施形態１に係る光ファイババンドル端末構造Ａが構成された光ファイバケーブルＣを示す。図２は、光ファイバ心線１０を示す。
【００１０】
この光ファイバケーブルＣは、複数本の光ファイバ心線１０を含む。光ファイバ心線１０は、光ファイバ１１とそれを被覆するジャケット１２とを有する。光ファイバ心線１０の外径は例えば０．３ｍｍである。光ファイバ１１は、相対的に高屈折率なコア１１１とそれを被覆する相対的に低屈折率のクラッド１１２とを有する。光ファイバ１１は、例えば、コア１１１が純粋石英で形成されており、クラッド１１２が屈折率を低下させるドーパントがドープされた石英で形成されている。光ファイバ１１の外径は例えば２５０μｍである。コア１１１の直径は例えば２００μｍである。なお、光ファイバ１１は、クラッド１１２の外側を更に被覆するサポート層を有していてもよい。ジャケット１２は、一般的には樹脂で形成されており、紫外線硬化性樹脂や熱硬化性樹脂等で形成された単一層で構成されていてもよく、また、例えばシリコーン樹脂の内側バッファ層とそれを被覆するナイロン樹脂の外側被覆層との二層で構成されていてもよい。
【００１１】
光ファイバケーブルＣの中間部分は、それらの複数本の光ファイバ心線１０の心線束が樹脂チューブで被覆されてケーブル本体Ｃ’を構成しており、一端側では、複数本の光ファイバ心線１０が分岐し、それぞれの端部に光コネクタｃが取り付けられている。そして、光ファイバケーブルＣの他端側において、ケーブル本体Ｃ’の端部に実施形態１に係る光ファイババンドル端末構造Ａが構成されている。光ファイバケーブルＣは、例えば、印刷装置等において、複数のレーザ光源からのレーザ光を、光コネクタｃを介して光ファイバ心線１０で伝送し、それらを実施形態１に係る光ファイババンドル端末構造Ａにおいて集約して照射するのに用いられる光伝送デバイスである。
【００１２】
図３Ａ及びＢは、実施形態１に係る光ファイババンドル端末構造Ａを示す。
【００１３】
実施形態１に係る光ファイババンドル端末構造Ａは、光ファイバケーブルＣのケーブル本体Ｃ’から延びる複数本の光ファイバ心線１０における先端部分のジャケット１２が剥離されて露出した複数本（図３Ａでは９本）の光ファイバ１１で構成された光ファイババンドルＢを含み、その光ファイババンドルＢに端末部材２０が取り付けられている。
【００１４】
端末部材２０は、部材本体２１と隙間材２２と押付材２３とを備える。
【００１５】
部材本体２１は、例えばステンレス等で形成された円柱部材で構成され、光ファイババンドルＢを挿入するためのバンドル挿入孔２１１がワイヤカット等による加工により軸方向に貫通するように形成されている。バンドル挿入孔２１１は、その外郭形状が横長矩形であり、左右の幅が、配設される光ファイバ１１の最大本数（図３Ａでは５本）に対応した光ファイバ１１の外径の倍数の寸法に設定されている。部材本体２１には、外周面からバンドル挿入孔２１１の上側内壁面まで穿孔されたネジ穴２１２が形成されている。
【００１６】
部材本体２１には、バンドル挿入孔２１１に、後方から複数本の光ファイバ１１で構成された光ファイババンドルＢが挿入され、端面に、バンドル端面が露出している。光ファイババンドルＢは、バンドル挿入孔２１１の下側内壁面に接触して並行に延びるように設けられた第１層Ｌ１の光ファイバ１１の群と、その上に積層された、各々、並行に延びるように設けられた第２層Ｌ２の光ファイバ１１の群とを含む。
【００１７】
第１層Ｌ１では、左端の光ファイバ１１は、バンドル挿入孔２１１の下側内壁面及び左側内壁面、並びに第１層Ｌ１の右側に隣接する光ファイバ１１に接触し、右端の光ファイバ１１は、バンドル挿入孔２１１の下側内壁面及び右側内壁面、並びに第１層Ｌ１の左側に隣接する光ファイバ１１に接触し、中間の光ファイバ１１は、バンドル挿入孔２１１の下側内壁面、並びに第２層Ｌ２の斜め左右上方両側に隣接する光ファイバ１１に接触している。
【００１８】
第２層Ｌ２では、左端の光ファイバ１１は、左斜め下方の第１層Ｌ１の左端の光ファイバ１１とその右側に隣接する右斜め下方の光ファイバ１１との間に俵積み状になるように設けられ、それらの第１層Ｌ１の一対の光ファイバ１１及び第２層Ｌ２の右側に隣接する光ファイバ１１に接触し、右端の光ファイバ１１は、右斜め下方の第１層Ｌ１の右端の光ファイバ１１とその左側に隣接する左斜め下方の光ファイバ１１との間に俵積み状になるように設けられ、それらの第１層Ｌ１の一対の光ファイバ１１及び第２層Ｌ２の左側に隣接する光ファイバ１１に接触し、中間の光ファイバ１１は、左右斜め下方の第１層Ｌ１の中間の光ファイバ１１間に俵積み状になるように設けられ、それらの第１層Ｌ１の一対の光ファイバ１１及び第２層Ｌ２の左右両側に隣接する光ファイバ１１に接触している。
【００１９】
したがって、実施形態１に係る光ファイババンドル端末構造Ａでは、光ファイババンドルＢを構成する複数本の光ファイバ１１が、バンドル端面において、実質的に最密に充填された俵積み状の配列パターンを形成するように俵積み状に配設されている。また、光ファイババンドルＢを構成する複数本の光ファイバ１１は、２本の隣接する光ファイバ１１に接触するもの、３本の隣接する光ファイバ１１に接触するもの、及び４本の隣接する光ファイバ１１に接触するものを含む。つまり、光ファイババンドルＢを構成する複数本の光ファイバ１１は、いずれも複数本の隣接する光ファイバ１１に接触している。
【００２０】
隙間材２２は、例えばステンレス等で形成された断面矩形の平板状の角柱材で構成されている。隙間材２２の幅は、バンドル挿入孔２１１の左右の幅と同一に設定されている。隙間材２２は、部材本体２１のバンドル挿入孔２１１における光ファイババンドルＢが挿通された部分以外の上側の隙間に挿入され、下面が光ファイババンドルＢの第２層Ｌ２の各光ファイバ１１に接触するように設けられている。
【００２１】
押付材２３は、部材本体２１のネジ穴２１２に螺合するネジで構成されている。押付材２３は、部材本体２１のネジ穴２１２に締め込まれてバンドル挿入孔２１１の上側内壁面から突出するとともに、先端が隙間材２２の上面に接触して隙間材２２を下方に押圧している。これにより、押付材２３は、隙間材２２を介して光ファイババンドルＢを部材本体２１のバンドル挿入孔２１１の下側内壁面に上下方向に押し付けている。
【００２２】
なお、実施形態１に係る光ファイババンドル端末構造Ａでは、端末部材２０における部材本体２１のバンドル挿入孔２１１の空隙に接着剤が充填されていてもよい。
【００２３】
図４Ａは、実施形態１に係る光ファイババンドル端末構造Ａの第１変形例を示す。
【００２４】
第１変形例では、光ファイババンドルＢは、バンドル挿入孔２１１の下側内壁面に接触して並行に延びるように設けられた第１層Ｌ１の光ファイバ１１の群のみを含む。
【００２５】
第１層Ｌ１では、左端の光ファイバ１１は、バンドル挿入孔２１１の下側内壁面及び左側内壁面、並びに第１層Ｌ１の右側に隣接する光ファイバ１１に接触し、右端の光ファイバ１１は、バンドル挿入孔２１１の下側内壁面及び右側内壁面、並びに第１層Ｌ１の左側に隣接する光ファイバ１１に接触し、中間の光ファイバ１１は、バンドル挿入孔２１１の下側内壁面、並びに第１層Ｌ１の左右両側に隣接する光ファイバ１１に接触している。また、第１層Ｌ１の各光ファイバ１１は、隙間材２２の下面に接触している。
【００２６】
したがって、第１変形例では、光ファイババンドルＢを構成する複数本の光ファイバ１１が、バンドル端面において、横一列に配列した配列パターンを形成するように配設されている。また、光ファイババンドルＢを構成する複数本の光ファイバ１１は、１本の隣接する光ファイバ１１に接触するもの、及び２本の隣接する光ファイバ１１に接触するものを含む。
【００２７】
図４Ｂは、実施形態１に係る光ファイババンドル端末構造Ａの第２変形例を示す。
【００２８】
第２変形例では、光ファイババンドルＢは、第１及び第２層Ｌ１，Ｌ２の光ファイバ１１の群に加えて、第２層Ｌ２の上に積層された、各々、並行に延びるように設けられた第３層Ｌ３の光ファイバ１１の群を更に含む。
【００２９】
第３層Ｌ３では、第１層Ｌ１と同様の配列であるが、左端の光ファイバ１１は、バンドル挿入孔２１１の左側内壁面、並びに右斜め下方の第２層Ｌ２の左端の光ファイバ１１及び第３層Ｌ３の右側に隣接する光ファイバ１１に接触し、右端の光ファイバ１１は、バンドル挿入孔２１１の右側内壁面、並びに左斜め下方の第２層Ｌ２の右端の光ファイバ１１及び第３層Ｌ３の左側に隣接する光ファイバ１１に接触し、中間の光ファイバ１１は、左右斜め下方の第２層Ｌ２の光ファイバ１１間に俵積み状になるように設けられ、それらの第２層Ｌ２の一対の光ファイバ１１及び第３層Ｌ３の左右両側に隣接する光ファイバ１１に接触している。また、第３層Ｌ３の各光ファイバ１１は、隙間材２２の下面に接触している。
【００３０】
したがって、第２変形例では、光ファイババンドルＢを構成する複数本の光ファイバ１１が、バンドル端面において、実質的に最密に充填された俵積み状の配列パターンを形成するように俵積み状に配設されている。また、光ファイババンドルＢを構成する複数本の光ファイバ１１は、２本の隣接する光ファイバ１１に接触するもの、３本の隣接する光ファイバ１１に接触するもの、４本の隣接する光ファイバ１１に接触するもの、５本の隣接する光ファイバ１１に接触するもの、及び６本の隣接する光ファイバ１１に接触するものを含む。つまり、光ファイババンドルＢを構成する複数本の光ファイバ１１は、いずれも複数本の隣接する光ファイバ１１に接触している。
【００３１】
図４Ｃは、実施形態１に係る光ファイババンドル端末構造Ａの第３変形例を示す。
【００３２】
第３変形例は、光ファイババンドルＢが第１及び第２層Ｌ１，Ｌ２の光ファイバ１１の群を含むが、第２層Ｌ２では、第１層Ｌ１と同様の配列であり、左端の光ファイバ１１は、バンドル挿入孔２１１の左側内壁面、並びに下方の第１層Ｌ１の左端の光ファイバ１１及び第２層Ｌ２の右側に隣接する光ファイバ１１に接触し、右端の光ファイバ１１は、バンドル挿入孔２１１の右側内壁面、並びに下方の第１層Ｌ１の右端の光ファイバ１１及び第２層Ｌ２の左側に隣接する光ファイバ１１に接触し、中間の光ファイバ１１は、下方の第１層Ｌ１の光ファイバ１１上に設けられ、その第１層Ｌ１の光ファイバ１１及び第２層Ｌ２の左右両側に隣接する光ファイバ１１に接触している。また、第２層Ｌ２の各光ファイバ１１は、隙間材２２の下面に接触している。
【００３３】
したがって、第３変形例では、光ファイババンドルＢを構成する複数本の光ファイバ１１が、バンドル端面において、上下及び左右のそれぞれに光ファイバ１１が配列したマトリクス状の配列パターンを形成するように配設されている。また、光ファイババンドルＢを構成する複数本の光ファイバ１１は、２本の隣接する光ファイバ１１に接触するもの、及び３本の隣接する光ファイバ１１に接触するものを含む。つまり、光ファイババンドルＢを構成する複数本の光ファイバ１１は、いずれも複数本の隣接する光ファイバ１１に接触している。
【００３４】
図４Ｄは、実施形態１に係る光ファイババンドル端末構造Ａの第４変形例を示す。
【００３５】
第４変形例は、第３変形例と同様の構成の第１及び第２層Ｌ１，Ｌ２の光ファイバ１１の群に加えて、第２層Ｌ２の上に積層された、各々、並行に延びるように設けられた第３層Ｌ３の光ファイバ１１の群を更に含む。
【００３６】
第３層Ｌ３では、第１及び第２層Ｌ１，Ｌ２と同様の配列であるが、左端の光ファイバ１１は、バンドル挿入孔２１１の左側内壁面、並びに下方の第２層Ｌ２の左端の光ファイバ１１及び第３層Ｌ３の右側に隣接する光ファイバ１１に接触し、右端の光ファイバ１１は、バンドル挿入孔２１１の右側内壁面、並びに下方の第２層Ｌ２の右端の光ファイバ１１及び第３層Ｌ３の左側に隣接する光ファイバ１１に接触し、中間の光ファイバ１１は、下方の第２層Ｌ２の光ファイバ１１上に設けられ、その第２層Ｌ２の光ファイバ１１及び第３層Ｌ３の左右両側に隣接する光ファイバ１１に接触している。また、第３層Ｌ３の各光ファイバ１１は、隙間材２２の下面に接触している。
【００３７】
したがって、第４変形例では、光ファイババンドルＢを構成する複数本の光ファイバ１１が、バンドル端面において、上下及び左右のそれぞれに光ファイバ１１が配列したマトリクス状の配列パターンを形成するように配設されている。また、光ファイババンドルＢを構成する複数本の光ファイバ１１は、２本の隣接する光ファイバ１１に接触するもの、３本の隣接する光ファイバ１１に接触するもの、及び４本の隣接する光ファイバ１１に接触するものを含む。つまり、光ファイババンドルＢを構成する複数本の光ファイバ１１は、いずれも複数本の隣接する光ファイバ１１に接触している。
【００３８】
以上の構成の実施形態１に係る光ファイババンドル端末構造Ａによれば、光ファイババンドルＢが、押付材２３により隙間材２２を介して部材本体２１のバンドル挿入孔２１１の下側内壁面に押し付けられ、光ファイバ１１の形状の均一性から、光ファイババンドルＢを構成する複数本の光ファイバ１１が、バンドル端面において所定の配列パターンを形成するように配設され、これにより複数本の光ファイバ１１の出射光又は入射光の高い光軸傾き精度を得ることができる。具体的には１．５°以下の光軸傾き精度を得ることができる。また、複数本の光ファイバ１１の高い位置精度も得ることができる。さらに、端末部材２０の部材本体２１のバンドル挿入孔２１１に光ファイババンドルＢを挿入するとともに、バンドル挿入孔２１１の隙間に隙間材２２を挿入し、光ファイババンドルＢを構成する複数本の光ファイバ１１の位置を調整しつつ、押付材２３により隙間材２２を介して光ファイババンドルＢを部材本体２１のバンドル挿入孔２１１の下側内壁面に押し付けることにより、光ファイバ１１の形状の均一性から、光ファイババンドルＢを構成する複数本の光ファイバ１１を、バンドル端面において所定の配列パターンを形成するように配設させることを容易に行え、そのため優れた組立作業性を得ることができる。さらに、押付材２３により隙間材２２を介して光ファイババンドルＢを部材本体２１のバンドル挿入孔２１１の下側内壁面に物理的に押し付けることにより、光ファイババンドルＢを恒久的に押圧保持することができる。しかも、高精度のＶ溝の形成等が必要ないため低コストである。
【００３９】
（実施形態２）
図５は、実施形態２に係る光ファイババンドル端末構造Ａを示す。なお、実施形態１と同一名称の部分は、実施形態１と同一符号で示す。
【００４０】
実施形態２に係る光ファイババンドル端末構造Ａでは、隙間材２２の下面に下方に開口するＶ溝２２ａが形成されている。そして、光ファイババンドルＢは、バンドル挿入孔２１１の下側内壁面、左側内壁面の下方部分、及び右側内壁面の下方部分、並びに隙間材２２のＶ溝２２ａの左右両側面で囲われた部分に挿通されている。
【００４１】
光ファイババンドルＢは、バンドル挿入孔２１１の下側内壁面に接触して並行に延びるように設けられた第１層Ｌ１の光ファイバ１１の群と、その上に順に積層された、各々、並行に延びるように設けられた第２〜第４層Ｌ２〜Ｌ４の光ファイバ１１の群と、その上に設けられた第５層Ｌ５の１本の光ファイバ１１とを含む。
【００４２】
第１層Ｌ１では、左端の光ファイバ１１は、バンドル挿入孔２１１の下側内壁面及び左側内壁面、並びに第１層Ｌ１の右側に隣接する光ファイバ１１に接触し、右端の光ファイバ１１は、バンドル挿入孔２１１の下側内壁面及び右側内壁面、並びに第１層Ｌ１の左側に隣接する光ファイバ１１に接触し、中間の光ファイバ１１は、バンドル挿入孔２１１の下側内壁面、並びに第１層Ｌ１の左右両側に隣接する光ファイバ１１に接触している。
【００４３】
第２層Ｌ２では、左端の光ファイバ１１は、左斜め下方の第１層Ｌ１の左端の光ファイバ１１とその右側に隣接する右斜め下方の光ファイバ１１との間に俵積み状になるように設けられ、それらの第１層Ｌ１の一対の光ファイバ１１及び第２層Ｌ２の右側に隣接する光ファイバ１１に接触し、右端の光ファイバ１１は、右斜め下方の第１層Ｌ１の右端の光ファイバ１１とその左側に隣接する左斜め下方の光ファイバ１１との間に俵積み状になるように設けられ、それらの第１層Ｌ１の一対の光ファイバ１１及び第２層Ｌ２の左側に隣接する光ファイバ１１に接触し、中間の光ファイバ１１は、左右斜め下方の第１層Ｌ１の中間の光ファイバ１１間に俵積み状になるように設けられ、それらの第１層Ｌ１の一対の光ファイバ１１及び第２層Ｌ２の左右両側に隣接する光ファイバ１１に接触している。
【００４４】
第３層Ｌ３では、左端の光ファイバ１１は、左斜め下方の第２層Ｌ２の左端の光ファイバ１１とその右側に隣接する右斜め下方の光ファイバ１１との間に俵積み状になるように設けられ、それらの第２層Ｌ２の一対の光ファイバ１１及び第３層Ｌ３の右側に隣接する光ファイバ１１に接触し、右端の光ファイバ１１は、右斜め下方の第２層Ｌ２の右端の光ファイバ１１とその左側に隣接する左斜め下方の光ファイバ１１との間に俵積み状になるように設けられ、それらの第２層Ｌ２の一対の光ファイバ１１及び第３層Ｌ３の左側に隣接する光ファイバ１１に接触し、中間の光ファイバ１１は、左右斜め下方の第２層Ｌ２の中間の光ファイバ１１間に俵積み状になるように設けられ、それらの第２層Ｌ２の一対の光ファイバ１１及び第３層Ｌ３の左右両側に隣接する左端及び右端の光ファイバ１１に接触している。
【００４５】
第４層Ｌ４では、左端の光ファイバ１１は、左斜め下方の第３層Ｌ３の左端の光ファイバ１１とその右側に隣接する右斜め下方の光ファイバ１１との間に俵積み状になるように設けられ、それらの第３層Ｌ３の一対の光ファイバ１１及び第４層Ｌ４の右端の光ファイバ１１に接触し、右端の光ファイバ１１は、右斜め下方の第３層Ｌ３の右端の光ファイバ１１とその左側に隣接する左斜め下方の光ファイバ１１との間に俵積み状になるように設けられ、それらの第３層Ｌ３の一対の光ファイバ１１及び第４層Ｌ４の左端の光ファイバ１１に接触している。
【００４６】
第５層Ｌ５では、光ファイバ１１は、左斜め下方の第４層Ｌ４の左端の光ファイバ１１と右斜め下方の第４層Ｌ４の右端の光ファイバ１１との間に俵積み状になるように設けられ、それらの第４層Ｌ４の一対の光ファイバ１１、及びＶ溝２２ａの左右両側面に接触している。
【００４７】
第１〜第４層Ｌ１〜Ｌ４のそれぞれでは、左端の光ファイバ１１は、隙間材２２のＶ溝２２ａの左側面に接触し、右端の光ファイバ１１は、隙間材２２のＶ溝２２ａの右側面に接触している。第５層Ｌ５の光ファイバ１１は、隙間材２２のＶ溝２２ａの左右両側面に接触している。
【００４８】
したがって、実施形態２に係る光ファイババンドル端末構造Ａでは、光ファイババンドルＢを構成する複数本の光ファイバ１１が、バンドル端面において、実質的に最密に充填された俵積み状の配列パターンを形成するように俵積み状に配設されている。また、光ファイババンドルＢを構成する複数本の光ファイバ１１は、２本の隣接する光ファイバ１１に接触するもの、４本の隣接する光ファイバ１１に接触するもの、及び６本の隣接する光ファイバ１１に接触するものを含む。つまり、光ファイババンドルＢを構成する複数本の光ファイバ１１は、いずれも複数本、しかも偶数本の隣接する光ファイバ１１に接触している。
【００４９】
その他の構成及び作用効果は実施形態１と同一である。
【００５０】
（実施形態３）
図６は、実施形態３に係る光ファイババンドル端末構造Ａを示す。なお、実施形態１と同一名称の部分は、実施形態１と同一符号で示す。
【００５１】
実施形態３に係る光ファイババンドル端末構造Ａでは、部材本体２１に形成されたバンドル挿入孔２１１の外郭形状が、上部の横長矩形の第１挿入孔部分２１１１と下部の下方に尖った三角形の第２挿入孔部分２１１２とが組み合わされた形状であり、平板状の角柱材の隙間材２２は、バンドル挿入孔２１１の上部の第１挿入孔部分２１１１に挿入されている。そして、光ファイババンドルＢは、バンドル挿入孔２１１の下部の三角形部分の左右両側内壁面、及び隙間材２２の下面で囲われた部分に挿通されている。
【００５２】
光ファイババンドルＢは、バンドル挿入孔２１１の下部の三角形部分の左右両側面に接触して延びるように設けられた第１層Ｌ１の１本の光ファイバ１１と、その上に順に積層された、各々、並行に延びるように設けられた第２及び第３層Ｌ２，Ｌ３の光ファイバ１１の群とを含む。
【００５３】
第１層Ｌ１では、光ファイバ１１は、バンドル挿入孔２１１の下部の三角形部分の左右両側面に接触している。
【００５４】
第２層Ｌ２では、左端の光ファイバ１１は、バンドル挿入孔２１１の下部の三角形部分の左側面、並びに第１層Ｌ１の光ファイバ１１及び第２層Ｌ２の右端の光ファイバ１１に接触し、右端の光ファイバ１１は、バンドル挿入孔２１１の下部の三角形部分の右側面、並びに第１層Ｌ１の光ファイバ１１及び第２層Ｌ２の左端の光ファイバ１１に接触している。
【００５５】
第３層Ｌ３では、左端の光ファイバ１１は、バンドル挿入孔２１１の下部の三角形部分の左側面、並びに右斜め下方の第２層Ｌ２の左端の光ファイバ１１及び第３層Ｌ３の右側に隣接する光ファイバ１１に接触し、右端の光ファイバ１１は、バンドル挿入孔２１１の下部の三角形部分の右側面、並びに左斜め下方の第２層Ｌ２の右端の光ファイバ１１及び第３層Ｌ３の左側に隣接する光ファイバ１１に接触し、中間の光ファイバ１１は、第２層Ｌ２の左端及び右端の一対の光ファイバ１１及び第３層Ｌ３の左右両側に隣接する左端及び右端の光ファイバ１１に接触している。また、第３層Ｌ３の各光ファイバ１１は、隙間材２２の下面に接触している。
【００５６】
したがって、実施形態３に係る光ファイババンドル端末構造Ａでは、光ファイババンドルＢを構成する複数本の光ファイバ１１が、バンドル端面において、実質的に最密に充填された俵積み状の配列パターンを形成するように俵積み状に配設されている。また、光ファイババンドルＢを構成する複数本の光ファイバ１１は、２本の隣接する光ファイバ１１に接触するもの、及び４本の隣接する光ファイバ１１に接触するものを含む。つまり、光ファイババンドルＢを構成する複数本の光ファイバ１１は、いずれも複数本、しかも偶数本の隣接する光ファイバ１１に接触している。
【００５７】
その他の構成及び作用効果は実施形態１と同一である。
【００５８】
（実施形態４）
図７は、実施形態４に係る光ファイババンドル端末構造Ａを示す。なお、実施形態１及び３と同一名称の部分は、実施形態１及び３と同一符号で示す。
【００５９】
実施形態４に係る光ファイババンドル端末構造Ａでは、部材本体２１に形成されたバンドル挿入孔２１１の外郭形状が、上部の横長矩形の第１挿入孔部分２１１１と、第１挿入孔部分２１１１よりも左右の幅及び上下の高さが小さい下部の横長矩形の第２挿入孔部分２１１２とが組み合わされたＬ型形状である。部材本体２１には、外周面からバンドル挿入孔２１１における第１挿入孔部分２１１１の上側内壁面まで穿孔された第１ネジ穴２１２１が形成されているとともに、外周面からバンドル挿入孔２１１における第２挿入孔部分２１１２の右側内壁面まで穿孔された第２ネジ穴２１２２が形成されている。
【００６０】
隙間材２２は、断面形状がバンドル挿入孔２１１の第１挿入孔部分２１１１よりもやや小さい横長矩形の第１隙間材部分２２１と、第１隙間材部分２２１の下面側の左端に延びるように一体に設けられた断面形状がバンドル挿入孔２１１の第２挿入孔部分２１１２よりもやや小さい矩形の第２隙間材部分２２２とを有する断面形状がＬ字状の柱状材で構成されている。隙間材２２は、第１隙間材部分２２１が第１挿入孔部分２１１１及び第２隙間材部分２２２が第２挿入孔部分２１１２にそれぞれ配置されるようにバンドル挿入孔２１１に挿入されている。
【００６１】
そして、光ファイババンドルＢは、バンドル挿入孔２１１の第１挿入孔部分２１１１の下側内壁面及び左側内壁面、並びに隙間材２２の第１隙間材部分２２１の下面及び第２隙間材部分２２２の右側面で囲われた部分に挿通されている。
【００６２】
光ファイババンドルＢは、バンドル挿入孔２１１の第１挿入孔部分２１１１の下側内壁面に接触して延びるように設けられた第１層Ｌ１の光ファイバ１１の群と、その上に積層された並行に延びるように設けられた第２層Ｌ２の光ファイバ１１の群とを含む。
【００６３】
第１層Ｌ１では、左端の光ファイバ１１は、バンドル挿入孔２１１の第１挿入孔部分２１１１の下側内壁面及び左側内壁面、並びに第１層Ｌ１の右側に隣接する右端の光ファイバ１１に接触し、右端の光ファイバ１１は、バンドル挿入孔２１１の第１挿入孔部分２１１１の下側内壁面、並びに第１層Ｌ１の左側に隣接する左端の光ファイバ１１に接触している。また、第１層Ｌ１の右端の光ファイバ１１は、隙間材２２の第２隙間材部分２２２の左側面に接触している。
【００６４】
第２層Ｌ２では、左端の光ファイバ１１は、バンドル挿入孔２１１の第１挿入孔部分２１１１の左側内壁面、並びに下方の第１層Ｌ１の左端の光ファイバ１１及び第２層Ｌ２の右側に隣接する右端の光ファイバ１１に接触し、右端の光ファイバ１１は、下方の第１層Ｌ１の右端の光ファイバ１１及び第２層Ｌ２の左側に隣接する左端の光ファイバ１１に接触している。また、第２層Ｌ２の各光ファイバ１１は、隙間材２２の第１隙間材部分２２１の下面に接触し、右端の光ファイバ１１は、隙間材２２の第２隙間材部分２２２の左側面に接触している。
【００６５】
したがって、実施形態４に係る光ファイババンドル端末構造Ａでは、光ファイババンドルＢを構成する複数本の光ファイバ１１が、バンドル端面において、上下及び左右のそれぞれに光ファイバ１１が配列したマトリクス状の配列パターンを形成するように配設されている。また、光ファイババンドルＢを構成する複数本の光ファイバ１１は、２本の隣接する光ファイバ１１に接触するもののみを含む。つまり、光ファイババンドルＢを構成する複数本の光ファイバ１１は、いずれも複数本の隣接する光ファイバ１１に接触している。
【００６６】
部材本体２１の第１ネジ穴２１２１には、ネジで構成された第１押付材２３１が締め込まれている。第１押付材２３１は、バンドル挿入孔２１１の第１挿入孔部分２１１１の上側内壁面から突出するとともに、先端が隙間材２２の第１隙間材部分２２１の上面に接触して隙間材２２を下方に押圧している。これにより、第１押付材２３１は、隙間材２２を介して光ファイババンドルＢを部材本体２１のバンドル挿入孔２１１の第２挿入孔部分２１１２の下側内壁面に上下方向に押し付けている。
【００６７】
部材本体２１の第２ネジ穴２１２２には、ネジで構成された第２押付材２３２が締め込まれている。第２押付材２３２は、バンドル挿入孔２１１の第２挿入孔部分２１１２の右側内壁面から突出するとともに、先端が隙間材２２の第２隙間材部分２２２の右側面に接触して隙間材２２を左側方に押圧している。これにより、第２押付材２３２は、隙間材２２を介して光ファイババンドルＢを、部材本体２１のバンドル挿入孔２１１の第２挿入孔部分２１１２の左側内壁面に左右方向に押し付けている。つまり、第２押付材２３２は、光ファイババンドルＢを、第１押付材２３１により押し付けた下側内壁面とは異なる向きの左側内壁面に、第１押付材２３１が押し付けた上下方向とは異なる方向の左右方向に押し付けている。
【００６８】
なお、実施形態４に係る光ファイババンドル端末構造Ａでは、第１及び第２押付材２３１，２３２が設けられた構成としたが、特にこれに限定されるものではなく、隙間材２２の上下方向の最大寸法がバンドル挿入孔２１１の上下方向の寸法と一致する場合には、部材本体２１の第１ネジ穴２１２１及び第１押付材２３１は必ずしも設けられていなくてもよく、また、隙間材２２の左右方向の最大寸法がバンドル挿入孔２１１の左右方向の最大寸法と一致する場合には、部材本体２１の第２ネジ穴２１２２及び第２押付材２３２は必ずしも設けられていなくてもよい。
【００６９】
その他の構成及び作用効果は実施形態１と同一である。
【００７０】
（実施形態５）
図８は、実施形態５に係る光ファイババンドル端末構造Ａを示す。なお、実施形態１及び４と同一名称の部分は、実施形態１及び４と同一符号で示す。
【００７１】
実施形態５に係る光ファイババンドル端末構造Ａでは、光ファイババンドルＢは、バンドル挿入孔２１１の第１挿入孔部分２１１１の下側内壁面に接触して延びるように設けられた第１層Ｌ１の光ファイバ１１の群と、その上に積層された並行に延びるように設けられた第２層Ｌ２の光ファイバ１１の群とを含む。
【００７２】
第１層Ｌ１では、左端の光ファイバ１１は、バンドル挿入孔２１１の第１挿入孔部分２１１１の下側内壁面及び左側内壁面、並びに第１層Ｌ１の右側に隣接する光ファイバ１１に接触し、右端の光ファイバ１１は、バンドル挿入孔２１１の第１挿入孔部分２１１１の下側内壁面、並びに第１層Ｌ１の左側に隣接する光ファイバ１１に接触し、中間の光ファイバ１１は、バンドル挿入孔２１１の第１挿入孔部分２１１１の下側内壁面、並びに第１層Ｌ１の左右両側に隣接する光ファイバ１１に接触している。また、第１層Ｌ１の右端の光ファイバ１１は、隙間材２２の第２隙間材部分２２２の左側面に接触している。
【００７３】
第２層Ｌ２では、左端の光ファイバ１１は、バンドル挿入孔２１１の第１挿入孔部分２１１１の左側内壁面、並びに下方の第１層Ｌ１の左端の光ファイバ１１及び第２層Ｌ２の右側に隣接する光ファイバ１１に接触し、右端の光ファイバ１１は、下方の第１層Ｌ１の右端の光ファイバ１１及び第２層Ｌ２の左側に隣接する光ファイバ１１に接触し、中間の光ファイバ１１は、下方の第１層Ｌ１の光ファイバ１１及び第２層Ｌ２の左右両側に隣接する光ファイバ１１に接触している。また、第２層Ｌ２の各光ファイバ１１は、隙間材２２の第１隙間材部分２２１の下面に接触し、右端の光ファイバ１１は、隙間材２２の第２隙間材部分２２２の左側面に接触している。
【００７４】
したがって、実施形態５に係る光ファイババンドル端末構造Ａでは、光ファイババンドルＢを構成する複数本の光ファイバ１１が、バンドル端面において、上下及び左右のそれぞれに光ファイバ１１が配列したマトリクス状の配列パターンを形成するように配設されている。また、光ファイババンドルＢを構成する複数本の光ファイバ１１は、２本の隣接する光ファイバ１１に接触するもの、及び３本の隣接する光ファイバ１１に接触するものを含む。つまり、光ファイババンドルＢを構成する複数本の光ファイバ１１は、いずれも複数本の隣接する光ファイバ１１に接触している。
【００７５】
その他の構成及び作用効果は実施形態１及び４と同一である。
【産業上の利用可能性】
【００７６】
本発明は、光ファイババンドル端末構造の技術分野について有用である。
【符号の説明】
【００７７】
Ａ  光ファイババンドル端末構造
Ｂ  光ファイババンドル
Ｃ  光ファイバケーブル
Ｃ’  ケーブル本体
ｃ  光コネクタ
Ｌ１〜Ｌ５  第１〜第５層
１０  光ファイバ心線
１１  光ファイバ
１１１  コア
１１２  クラッド
１２  ジャケット
２０  端末部材
２１  部材本体
２１１  バンドル挿入孔
２１１１  第１挿入孔部分
２１１２  第２挿入孔部分
２１２，２１２１，２１２２  （第１，第２）ネジ穴
２２  隙間材
２２ａ  Ｖ溝
２２１  第１隙間材部分
２２２  第２隙間材部分
２３，２３１、２３２  （第１，第２）押付材
【図１】
2019078860.tif 000003
【図２】
2019078860.tif 000004
【図３Ａ】
2019078860.tif 000005
【図３Ｂ】
2019078860.tif 000006
【図４Ａ】
2019078860.tif 000007
【図４Ｂ】
2019078860.tif 000008
【図４Ｃ】
2019078860.tif 000009
【図４Ｄ】
2019078860.tif 000010
【図５】
2019078860.tif 000011
【図６】
2019078860.tif 000012
【図７】
2019078860.tif 000013
【図８】
2019078860.tif 000014